(57)【特許請求の範囲】
【請求項１】
固定片を有する計器と、
前記計器を支持する支持部と、
前記支持部の一方の面に配置され、前記計器が回転可能に接続された第１部材と、
前記支持部と前記第１部材とに挿通された連結ボルトと、
前記支持部の他方の面に配置され、前記第１部材と前記連結ボルトを用いて組み合わさることによって前記支持部と前記固定片とを、前記第１部材とで挟み込む第２部材と、
を備えることを特徴とする計器装置。
【請求項２】
前記支持部には、前記一方の面から形成された孔が形成されており、
前記第１部材は、前記孔に挿入される凸部を有し、
前記凸部が前記支持部に形成された前記孔に挿入されることで、前記第１部材の回転が制限されることを特徴とする請求項１に記載の計器装置。
【請求項３】
固定片を有する計器と、
前記計器を支持する支持部と、
前記支持部の一方の面に配置され、前記計器が回転可能に接続された第１部材と、
前記支持部の他方の面に配置され、前記第１部材と組み合わさることによって前記支持部と前記固定片とを、前記第１部材とで挟み込む第２部材と、
を備え、
前記支持部には、前記一方の面から形成された孔が形成されており、
前記第１部材は、前記孔に挿入される凸部を有し、
前記凸部が前記支持部に形成された前記孔に挿入されることで、前記第１部材の回転が制限され、
前記第１部材は、フランジと、前記フランジ上に形成され、前記支持部に形成された前記孔の幅よりも大きな径を有するスペーサとをさらに有し、
前記凸部は、前記スペーサ上に形成されており、
前記スペーサは、前記支持部と前記フランジとの間に前記固定片を挟み込むための隙間を形成することを特徴とする計器装置。
【請求項４】
前記連結ボルトは多角形状の頭部を有し、
前記第１部材又は前記第２部材には、前記連結ボルトの頭部の形状に形成され、該頭部を収容するための凹部が形成されていることを特徴とする請求項１または請求項２に記載の計器装置。
【請求項５】
計器を支持する支持部と、
前記支持部の一方の面に配置され、前記計器が回転可能に接続された第１部材と、
前記支持部と前記第１部材とに挿通された連結ボルトと、
前記支持部の他方の面に配置され、前記第１部材と前記連結ボルトを用いて組み合わさることによって前記支持部と前記支持部の固定片とを、前記第１部材とで挟み込む第２部材と、
を備えることを特徴とする計器取付装置。
【発明の詳細な説明】
【技術分野】
【０００１】
本発明は、例えば、自動車や自動二輪車等の車両、船舶、建設機械等に搭載される計器装置、及び計器取付装置に関するものである。
【背景技術】
【０００２】
車両や船舶等に搭載される計器装置、及び計器取付装置は、計器をがたつかせることなく、確実に計器を保持することが求められている。また、ユーザに合わせて計器の取り付け角度や高さ位置を容易に調整できれば、車両等の運転をより快適なものとすることができる。
【０００３】
特許文献１には、表示画面を縦型から横型へ、あるいは横型から縦型へと変更可能なディスプレイ装置が記載されている。このディスプレイ装置は、雌ねじを有する回転軸と案内軸とが背面に形成された表示部を有している。そして表示部は、それぞれの雌ねじが背面板を介して雄ねじと螺合されることで固定されている。
【先行技術文献】
【特許文献】
【０００４】
【特許文献１】特開平７−３２１４８１号公報
【発明の概要】
【発明が解決しようとする課題】
【０００５】
しかしながら、特許文献１に記載されたディスプレイ装置は、表示部の向きを調整するために、案内軸に螺合された雄ねじを緩めて表示部の向き（取り付け角度）を調整し、そして再度緩めた雄ねじを締めなおす作業が必要となる。そのため、表示部を自分にあった向きに調整をするために、非常に面倒な作業を行わなければならない。
【０００６】
本発明は上記問題点に鑑みてなされたものであり、計器の取り付け角度を容易に調整することができる計器装置、及び計器取付装置を提供することを目的とする。
【課題を解決するための手段】
【０００７】
上記課題を解決するため、本発明に係る計器装置は、固定片を有する計器と、前記計器を支持する支持部と、前記支持部の一方の面に配置され、前記計器が回転可能に接続された第１部材と、前記支持部と前記第１部材とに挿通された連結ボルトと、前記支持部の他方の面に配置され、前記第１部材と前記連結ボルトを用いて組み合わさることによって前記支持部と前記固定片とを、前記第１部材とで挟み込む第２部材と、を備えることを特徴とする。
【０００８】
また、上記課題を解決するため、本発明に係る計器取付装置は、計器を支持する支持部と、前記支持部の一方の面に配置され、前記計器が回転可能に接続された第１部材と、前記支持部と前記第１部材とに挿通された連結ボルトと、前記支持部の他方の面に配置され、前記第１部材と前記連結ボルトを用いて組み合わさることによって前記支持部と前記支持部の固定片とを、前記第１部材とで挟み込む第２部材と、を備えることを特徴とする。
【発明の効果】
【０００９】
本発明によれば、計器の取り付け向きを容易に修正することができる計器装置、及び計器取付装置を提供することができる。
【図面の簡単な説明】
【００１０】
【図１】本発明の実施形態に係る計器装置の概略正面図。
【図２】本発明の実施形態に係る計器装置の概略背面図。
【図３】本発明の実施形態に係る計器装置の分解斜視図。
【図４】図１中の断面線ＩＶ−ＩＶで示した本発明の実施形態に係る計器装置の部分断面図。
【図５】図１中の断面線Ｖ−Ｖで示した本発明の実施形態に係る計器装置の部分断面図。
【図６】本発明の実施形態に係る計器装置の計器が回転している様子を示した背面図。
【図７】本発明の他の実施形態に係る計器装置の分解斜視図。
【発明を実施するための形態】
【００１１】
以下、本発明の実施形態に係る計器装置、及び計器取付装置を図面を参照して説明する。
【００１２】
図１は、本発明の実施形態に係る計器装置１の概略正面図を示している。また、図２は、本発明の実施形態に係る計器装置１の概略背面図を示している。図１，２に示すように、本実施形態に係る計器装置１は、所定の据え付け位置に粘着テープ等によって取り付けられた台座１０と、台座１０から立設したステー２０（支持部）と、計量値を表示する表示装置３１を内部に収容した計器３０と、計器３０とステー２０とを接続するための取付ノブ４０（第２部材）とを備えている。台座１０は、ユーザが計器３０を視認することができるように、自動車等の運転席前方（例えば、車のダッシュボード上）に据え付けられる。また、計器３０の前面（ユーザが位置する方向を向いた面）は透明な材料から形成されており、ユーザは計器３０に収容された表示装置３１を視認することができる。なお、本明細書においては、前方、及び正面側とは図１において手前側（図２においては奥側）、後方、及び背面側とは図１において奥側（図２においては手前側）を示す用語として用いている。
【００１３】
図３は本発明の実施形態に係る計器装置１の分解斜視図、図４は図１中の断面線ＩＶ−ＩＶで示した本発明の実施形態に係る計器装置１の部分断面図、図５は図１中の断面線Ｖ−Ｖで示した本発明の実施形態に係る計器装置１の部分断面図である。なお、本実施形態に係る計器装置１においては、図３に示した各部材のうち計器３０を除いた台座１０やステー２０等の部材が先に組み立てられ、その後計器３０が摺動コマ５０（第１部材）に掛けられて計器装置１が組み立てられる。
【００１４】
台座１０は、図３に示すように、略矩形の平板に２つの差込リブ１１が立設されて形成されている。２つの差込リブ１１のそれぞれには、後述するピンボルト１２が挿通されるボルト孔１１ａが形成されている。台座１０は、例えば硬質合成樹脂から形成されており、計器装置１のベース部材として機能する。
【００１５】
ステー２０は、図３に示すように、山型の平面形状に形成された平板部２１と、その下方に連続して形成され、内部にピンボルト１２とナット１３とを収容する空間が形成されたスリーブ部２２とから形成されている。また、スリーブ部２２には、台座１０に立設された差込リブ１１を差し込むための差込スリット２２ａが形成されている。台座１０に差込スリット２２ａを固定する場合、まず、この差込スリット２２ａに差込リブ１１を挿入し、スリーブ部２２内部に形成された空間と差込リブ１１に形成されたボルト孔１１ａとの位置合わせを行う。そして、スリーブ部２２の両サイドからピンボルト１２とナット１３とを挿入、螺合させて、ステー２０を台座１０に固定させる。
【００１６】
なお、スリーブ部２２のナット１３が挿入される側の開口は、挿入されるナット１３と嵌合可能な形状に形成されている。すなわち、ナット１３が多角形状、例えば一般的な六角ナットである場合、スリーブ部２２の開口は六角形に形成され、挿入されたナット１３と嵌合する。そのため、スリーブ部２２に挿入されたナット１３はスリーブ部２２内で回転することはなく、ピンボルト１２側を締め付けることでピンボルト１２とナット１３とを螺合させることができる。
【００１７】
また、図３に示すように、ステー２０の平板部２１には、上下方向に延びた回転制限スリット２１ａが形成されている。なお、この回転制限スリット２１ａの機能等については後述する。ステー２０は、例えば硬質合成樹脂から形成されており、計器３０を支持する支柱部材として機能する。
【００１８】
摺動コマ５０は、図３に示すように、円板状に形成されたフランジ５１と、このフランジ５１上に形成され、フランジ５１よりも一回り小さな径で形成された円柱状のスペーサ５２と、スペーサ５２上の図３中の上下２箇所に形成された突起である回転制限キー５３（凸部）とから構成されている。摺動コマ５０は、例えば、硬質合成樹脂から形成されている。また、摺動コマ５０の中央には、連結ボルト４５が挿通されるボルト孔５０ａが形成されている。図４に示すように、このボルト孔５０ａに連続して、挿通される連結ボルト４５の頭部を収容するためのボルト頭収容孔５０ｂが摺動コマ５０に形成されている。連結ボルト４５の頭部は多角形状、例えば一般的な六角形で、ボルト孔５０ａ収容孔は連結ボルト４５の頭部と嵌合する形状に形成されている。そのため、摺動コマ５０に挿入された連結ボルト４５は、摺動コマ５０に対して、連結ボルト４５の軸方向周りに回転することができない。
【００１９】
ここで、ステー２０と摺動コマ５０との関係について説明する。計器装置１が組み立てられる際、図３に示すように、摺動コマ５０の２つの回転制限キー５３の並びが回転制限スリット２１ａの形成方向と合うように、摺動コマ５０の向きが調整される。そして、回転制限キー５３は、回転制限スリット２１ａに挿入される。なお、回転制限スリット２１ａの形成幅と、回転制限キー５３の幅とは同程度に形成されているため、回転制限スリット２１ａと回転制限キー５３との間に形成される幅方向のクリアランスはわずかなものとなる。そのため、摺動コマ５０は、回転制限キー５３に対してがたつくことはなく、回転制限キー５３に対する回転が制限される。
【００２０】
また、回転制限スリット２１ａの延びる方向（図３中の高さ方向）における長さは、２つの回転制限キー５３の外側端部間の長さと比べて長い値に設定されている。そのため、回転制限キー５３が回転制限スリット２１ａに挿入された摺動コマ５０は、回転制限スリット２１ａの延びる方向に沿ってスライドすることが可能である。
【００２１】
スペーサ５２は、その平面形状が回転制限スリット２１ａの形成幅よりも大きな直径を有している。そのため、摺動コマ５０の回転制限キー５３は、回転制限スリット２１ａに挿入されるが、スペーサ５２は回転制限スリット２１ａに挿入されることはなく、図４、図５に示すように、ステー２０の前面に密着した状態とされる。そのため、ステー２０とフランジ５１との間に、スペーサ５２の厚み分の隙間が形成されることとなる。後述するように、このように形成された隙間には、計器３０の背面板３２（固定片）が差し込まれ、背面板３２はステー２０とフランジ５１とにより狭持される。
【００２２】
取付ノブ４０は、例えば硬質合成樹脂から形成されており、図４、図５に示すように、内部にインサートナット４３を有している。取付ノブ４０は、ステー２０の後方に配され、インサートナット４３を介して摺動コマ５０、及びステー２０に挿通された連結ボルト４５と螺合される。これにより、ステー２０に取付ノブ４０、及び摺動コマ５０が取り付けられる。なお、上述したように、連結ボルト４５は、その頭部が摺動コマ５０に形成されたボルト頭収容孔５０ｂに収容されているため、軸方向に回転することができない。また、摺動コマ５０もステー２０に対して回転することができないため、取付ノブ４０を締め付けることで、連結ボルト４５と取付ノブ４０とが螺合される。そのため、図３に示すように、取付ノブ４０を容易に締め付けたり緩めたりできるように、取付ノブ４０の外周面にユーザが指をかけやすくための凹部４１が形成されている。さらに、ユーザの指に取付ノブ４０がかかり易いように、取付ノブ４０の外周面には複数の線状の刻み目４２が形成されている。
【００２３】
計器３０は、計量値を表示する表示装置３１（図１）を内部に収容するとともに、その前面にユーザに表示装置３１を視認させるための表示窓（不図示）が形成されている。また、計器３０の後面は、例えば硬質合成樹脂からなり、摺動コマ５０のスペーサ５２と同程度の厚みを有する背面板３２から形成されている。この背面板３２には、摺動コマ５０のスペーサ５２を挿入するための切欠き３２ａが形成されている。この背面板３２により隔てられた計器３０の内部には、摺動コマ５０のフランジ５１を収容するための収容空間３２ｂが形成されている。なお、背面板３２に形成された切欠き３２ａの幅Ｗ（図３）は、おおよそ摺動コマ５０のスペーサ５２の径と等しい値に設定されている。
【００２４】
計器３０を取付ける際は、前述したステー２０と摺動コマ５０のフランジ５１との間に形成された隙間に、背面板３２を差し込むとともに、摺動コマ５０のフランジ５１を背面板３２により隔てられた計器３０の内部空間に収容する。これにより、計器３０は摺動コマ５０に回転可能に掛けられ、最後に、取付ノブ４０を締め付けて計器装置１の組み立ては完了する。
【００２５】
次に、上述した本実施形態に係る計器装置１を構成する各部材の動作、機能について説明する。
【００２６】
取付ノブ４０が、摺動コマ５０、及びステー２０に挿通された連結ボルト４５と螺合されると、連結ボルト４５には軸力が作用する。この軸力は連結ボルト４５の頭部を介して摺動コマ５０に伝達され、摺動コマ５０はステー２０との間に挿入された背面板３２を押圧する。また、連結ボルト４５に作用した軸力は取付ノブ４０にも伝達され、取付ノブ４０はステー２０を介して背面板３２を押圧する。そのため、ステー２０と摺動コマ５０との間の隙間に挿入された背面板３２は両者から押圧され、挟持される。これにより、背面板３２とステー２０との間、及び背面板３２と摺動コマ５０との間に静摩擦力を作用させることができる。この静摩擦力は、連結ボルト４５に作用する軸力、すなわち、取付ノブ４０に作用させるトルクにより調節することが可能である。そのため、取付ノブを所定のトルクにより締め付けることで、計器３０をがたつくつかせることなく所定の取付角度で保持することができる。なお、背面板３２が上記隙間に差し込まれてステー２０とフランジ５１とにより狭持される範囲は切欠き３２ａの外縁近傍であり、背面板３２のこれらの範囲の部位が計器３０を固定するための固定片として機能する。
【００２７】
また、本実施形態に係る計器装置１は、計器３０の取付高さ、及び取付角度を調整することができる。計器３０の取付高さを調整する場合、まず、ユーザは締め付けられた取付ノブ４０を緩める。すると、計器３０の背面板３２とステー２０との間、及び背面板３２と摺動コマ５０との間に作用していた静摩擦力が作用しなくなる。そのため、摺動コマ５０は、回転制限スリット２１ａが延びる方向（図３においては上下方向）にスライド可能な状態となる。ユーザは、摺動コマ５０を、回転制限スリット２１aにガイドさせながら所定の高さ位置まで移動させた後、取付ノブ４０を締め付けることにより、計器３０を所定の高さ位置に固定することができる。
【００２８】
次に、計器３０の取付角度を調整する場合について説明する。図６は、本発明の実施形態に係る計器装置１の計器３０が水平位置から回転した様子を示した背面図である。なお、図６は、計器装置１が回転した際の各部材の状態を容易に理解できるように、取付ノブ４０の図示は省略した。
【００２９】
上述したように、取付ノブ４０が締め付けられることにより、ステー２０と背面板３２との間、及び背面板３２と摺動コマ５０との間に静摩擦力が作用している。ユーザは、この静摩擦力に打ち勝つ回転力を計器３０に作用させると、図６に示すように、計器３０を所定の方向（図中矢印方向）に回転させることができる。一方で、摺動コマ５０は、回転制限スリット２１ａにより回転が制限されるため、計器３０の回転に伴って回転することはない。そのため、ユーザが計器３０を回転させたとしても、摺動コマ５０は回転制限キー５３を図中上下方向に配列した状態で保持される。
【００３０】
また、連結ボルト４５も、その頭部が摺動コマ５０に形成されたボルト頭収容孔５０ｂに収容されているため、計器３０の回転に伴って軸方向に回転することはない。そのため、ユーザが計器３０の取付角度を調整したとしても、連結ボルト４５、及び取付ノブ４０には何らの力も作用せず、これらの螺合状態は保持される。そのため、取付ノブ４０を締付により発生した各部材間の静摩擦力は変化することがない。すなわち、計器３０の取付角度を調整することによっても計器３０の取り付け部が緩むことはない。
【００３１】
このように、ユーザは取付ノブ４０を緩めることなく、計器３０に所定の回転力を加えるだけで計器３０の取り付け角度を調整することが可能である。なお、ステー２０と背面板３２との間、及び背面板３２と摺動コマ５０との間に作用させる静摩擦力は、取付ノブ４０に加えるトルクを加減することで調整可能である。このため、計器に直接ねじが螺合されていて計器を回転させづらかった計器装置と比べ、本実施形態に係る計器装置１は計器を容易に回転させることができる。
【００３２】
本発明は上述した実施形態に限られず、様々な応用、変形が可能である。上述した実施形態では、計器３０、連結ボルト４５、及び摺動コマ５０のそれぞれが別部材からなる計器装置１について説明したが、例えば、摺動コマ５０、及び連結ボルト４５が計器３０に実装された構成としてもよい。
【００３３】
また、上記実施形態では、インサートナット４３を取付ノブ４０に取りつけ、摺動コマ５０、及びステー２０に挿通された連結ボルト４５と螺合させる構成について説明したが、本発明はこのような実施形態に限定されるものではない。例えば、取付ノブ４０から連結ボルト４５や、ねじ切りされた棒鋼等を突出させ、摺動コマ５０に設けられたナットと螺合させる構成としてもよい。
【００３４】
また、ステー２０に形成されたスリット２１ａは、平板部２１を貫通させる必要はなく、連結ボルト４５を動く範囲のみを貫通孔とし、それ以外の範囲は回転制限キー５３が収容され摺動コマ５０の回転を制限する凹部であってもよい。
【００３５】
また、上述した実施形態に係る計器装置１は、計器３０の背面を形成する背面板３２を、ステー２０と摺動コマ５０との隙間に差し込んだ構成について説明したが、例えば、計器が取り付けられる取付部材を別途設け、この取付部材を摺動コマ５０に接続する構成としてもよい。
【００３６】
図７は、本発明の他の実施形態に係る計器装置１の分解斜視図を示している。なお、本実施形態に係る計器装置１は、上述した実施形態と比べ、摺動コマ５０に掛けられる部材が計器と別部材である点のみが異なっており、他の部材については同様である。そのため、同様の部材については、同じの符号を付している。なお、図７に示す計器装置１は、台座１０、ステー２０、取付ノブ４０、及び摺動コマ５０が既に組み立てられた状態を示している。
【００３７】
図７に示すように、本実施形態に係る計器装置１の計器３５は、計器本体３５ａと、計器本体３５ａの背面に取り付けられる計器取付部材３５ｂとを備えている。この計器本体３５ａの背面には、高さ方向に延びたスライド溝３７が形成されている。また計器取付部材３５ｂの前面には、計器本体３５ａに形成されたスライド溝３７と嵌合する凸状のレール（不図示）が形成されている。計器本体３５ａは、図中矢印で示す方向にスライドされ、計器取付部材３５ｂと一体化されて、計器３５が形成される。なお、本実施形態に係る計器装置１の作用、効果については、上述した実施形態に係る計器装置１と同様であるため説明は省略する。
【符号の説明】
【００３８】
１        計器装置
１０      台座
２０      ステー
２１ａ    回転制限スリット
３０      計器
３１      表示装置
３２      背面板
３２ａ    切欠き
４０      取付ノブ
４３      インサートナット
４５      連結ボルト
５０      摺動コマ
５１      フランジ
５２      スペーサ
５３      回転制限キー
【図１】
0005397210.tif 000002
【図２】
0005397210.tif 000003
【図３】
0005397210.tif 000004
【図４】
0005397210.tif 000005
【図５】
0005397210.tif 000006
【図６】
0005397210.tif 000007
【図７】
0005397210.tif 000008